(57)【要約】      （修正有）【課題】バッグの持ち手を出し入れしやすく、安定して掛けられるバッグ用ハンガーを提供する。【解決手段】バッグを吊り下げるためのバッグ用ハンガー１であって、バッグの持ち手Ｍを掛けるハンガー本体１０と、前記ハンガー本体１０の上部に接続され、前記ハンガー本体１０を吊り下げるフック２０と、を備え、前記ハンガー本体１０の一端１２ｐには背板１１が鉛直面に沿って立設し、前記ハンガー本体１０の頂面１２は、半円状の他端１２ｑから半円状の一端１２ｐに向けて曲率半径Ｒが徐々に小さくなるように窄まる形状である。【選択図】図３
2019166409.tif 000002
【特許請求の範囲】
【請求項１】
バッグを吊り下げるためのバッグ用ハンガーであって、
バッグの持ち手を掛けるハンガー本体と、
前記ハンガー本体の上部に接続され、前記ハンガー本体を吊り下げるフックと、を備え、
前記ハンガー本体の一端には背板が鉛直面に沿って立設し、
前記ハンガー本体の頂面は、半円状の他端から半円状の一端に向けて曲率半径が徐々に小さくなるように窄まる形状であることを特徴とするバッグ用ハンガー。
【請求項２】
前記頂面は、一端側の第１傾斜面と、前記第１傾斜面に連なる他端側の第２傾斜面とを備え、前記第１傾斜面から前記第２傾斜面にかけて凹状に屈折する形状であり、前記第１傾斜面は前記第２傾斜面に比べて、一端に向けて緩やかに窄まる形状であることを特徴とする請求項１に記載のバッグ用ハンガー。
【請求項３】
前記ハンガー本体は、前記ハンガー本体の一端側に前記フックに接続する接続部が設けられ、前記接続部は、鉛直軸に対して前記ハンガー本体の他端側に傾斜することを特徴とする請求項１又は請求項２に記載のバッグ用ハンガー。
【請求項４】
前記バッグ用ハンガーの重心は、前記フックを掛けて前記ハンガー本体を自然に吊り下げた状態で、側面視において、前記頂面の最頂部が水平面に対して傾斜する位置に設定されることを特徴とする請求項１から請求項３のいずれか１項に記載のバッグ用ハンガー。
【請求項５】
前記フックは、前記ハンガー本体に対して回転自在に接続されていることを特徴とする請求項１から請求項４のいずれか１項に記載のバッグ用ハンガー。
【発明の詳細な説明】
【技術分野】
【０００１】
本発明は、バッグ用ハンガーに関するものである。
【背景技術】
【０００２】
従来、バッグを床の上に置くことがあったが、これではバッグが汚れ、変形してしまう。
また、Ｓ字フック等の棒状のハンガーにバッグの持ち手を掛けて、バッグを吊り下げることにより、バッグが汚れることはなくなるが、この場合、バッグの持ち手が変形し、傷んでしまうという問題がある。
特許文献１は、バッグの持ち手である紐が変形しないように、両側壁の間に円曲する幅広な溝を設けたハンガーを開示する。
しかしながら、特許文献１に開示されたハンガーは、両側壁が鉛直に切り立っているので、バッグの紐を溝に出し入れする際にバッグの紐が側壁に干渉し、不便であるという問題がある。
また、バッグの紐を幅広な溝に掛けると、バッグの紐が溝の中で自由に移動するので、安定しないという問題がある。
【先行技術文献】
【特許文献】
【０００３】
【特許文献１】登録実用新案第３１１６８９０号公報
【発明の概要】
【発明が解決しようとする課題】
【０００４】
そこで、本発明は、上記問題点に鑑みなされたものであって、バッグの持ち手を出し入れしやすく、安定して掛けられるバッグ用ハンガーを提供することを目的とする。
【課題を解決するための手段】
【０００５】
上記目的を達成するために、以下の構成によって把握される。
（１）本発明のバッグ用ハンガーは、
バッグを吊り下げるためのバッグ用ハンガーであって、バッグの持ち手を掛けるハンガー本体と、前記ハンガー本体の上部に接続され、前記ハンガー本体を吊り下げるフックと、を備え、前記ハンガー本体の一端には背板が鉛直面に沿って立設し、前記ハンガー本体の頂面は、半円状の他端から半円状の一端に向けて曲率半径が徐々に小さくなるように窄まる形状である。
【０００６】
（２）上記（１）の構成において、
前記頂面は、一端側の第１傾斜面と、前記第１傾斜面に連なる他端側の第２傾斜面とを備え、前記第１傾斜面から前記第２傾斜面にかけて凹状に屈折する形状であり、前記第１傾斜面は前記第２傾斜面に比べて、一端に向けて緩やかに窄まる形状である。
【０００７】
（３）上記（１）又は（２）の構成において、
前記ハンガー本体は、前記ハンガー本体の一端側に前記フックに接続する接続部が設けられ、前記接続部は、鉛直軸に対して前記ハンガー本体の他端側に傾斜する。
【０００８】
（４）上記（１）から（３）のいずれかの構成において、
前記バッグ用ハンガーの重心は、前記フックを掛けて前記ハンガー本体を自然に吊り下げた状態で、側面視において、前記頂面の最頂部が水平面に対して傾斜する位置に設定される。
【０００９】
（５）上記（１）から（４）のいずれかの構成において、
前記フックは、前記ハンガー本体に対して回転自在に接続されている。
【発明の効果】
【００１０】
本発明によれば、バッグの持ち手を出し入れしやすく、安定して掛けられるバッグ用ハンガーを提供できる。
【図面の簡単な説明】
【００１１】
【図１】バッグ用ハンガーの斜視図である。
【図２】同上正面図である。
【図３】同上側面図である。
【図４】同上平面図である。
【発明を実施するための形態】
【００１２】
以下、図面を参照して本発明を実施するための形態（以下、実施形態）について詳細に説明する。以下、特に説明のない限り、図３の右側を一端側又は手前とし、左側を他端側又は奥と呼ぶ。
【００１３】
（実施形態）
図１はバッグ用ハンガーの斜視図、図２はバッグ用ハンガーの正面図、図３はバッグ用ハンガーの側面図、図４はバッグ用ハンガーの平面図である。
図１に示すように、バッグ用ハンガー１は、バッグを吊るすためのバッグ用ハンガーであって、バッグの持ち手Ｍを掛けるハンガー本体１０と、ハンガー本体１０の上部に接続され、ハンガー本体１０を吊り下げるフック２０と、を備える。
そして、フック２０をテーブルＴ等に掛けてハンガー本体１０をフック２０から吊り下げた状態で、バッグの持ち手Ｍをハンガー本体１０に掛けて、バッグを床から離れた状態で保持できる。
以下、ハンガー本体１０及びフック２０について順番に説明する。
【００１４】
（ハンガー本体）
図３に示すように、ハンガー本体１０は、一端１２ｐに背板１１が鉛直面に沿って立設し、ハンガー本体の頂面１２が、半円状の他端１２ｑから半円状の一端１２ｐに向けて曲率半径Ｒが徐々に小さくなるように窄まる形状となっている。
具体的には、頂面１２が半円の中心軸ａｈに対して成す角度θ１及び角度θ２を、バッグの持ち手Ｍと頂面１２との摩擦角以上にしている。
これにより、持ち手Ｍを頂面１２上に掛けてバッグの重さをハンガー本体１０が受けるようにすると、重力によって持ち手Ｍが頂面１２上を他端１２ｑから一端１２ｐに向けて滑り、背板１１に当たって止まるようになる。
よって、持ち手Ｍを頂面１２の手前に掛けても、自然に頂面１２の最も奥に移動してその位置に留まって安定するので、持ち手Ｍを掛け易く、掛けた後のバッグの位置が安定する。
【００１５】
また、図３に示すように、頂面１２は、一端１２ｐ側の第１傾斜面１２Ａと、第１傾斜面１２Ａに連なる他端１２ｑ側の第２傾斜面１２Ｂとを備え、第１傾斜面１２Ａから第２傾斜面１２Ｂにかけて凹状に屈折する形状であり、第１傾斜面１２Ａは第２傾斜面１２Ｂに比べて、一端１２ｐに向けて緩やかに窄まる形状である。
これにより、バッグに何らかの外力が作用してバッグが奥から手前に移動しても、第２傾斜面１２Ｂが持ち手Ｍに干渉してそれ以上の移動を阻むので、持ち手Ｍが頂面１２上から脱落することがない。
しかも、第２傾斜面１２Ｂは、半円状の他端１２ｑから半円状の一端１２ｐに向けて曲率半径Ｒが徐々に小さくなるように窄まる形状となっているので、持ち手Ｍを頂面１２から離脱する際に、持ち手Ｍが第２傾斜面１２Ｂに引っ掛かることがなくスムーズに離脱させることができ、バッグ用ハンガー１から持ち手Ｍを簡単に取り出すことができる。
【００１６】
また、ハンガー本体１０は、ハンガー本体１０の一端１２ｐにフック２０に接続する接続部１３が設けられ、接続部１３は、鉛直軸ａｖに対してハンガー本体１０の他端１２ｑ側に角度αだけ傾斜する。
これにより、持ち手Ｍを頂面１２上に掛ける際に、接続部１３が持ち手Ｍを頂面１２の方向にガイドするので、持ち手Ｍをハンガー本体１０にスムーズに掛けられるとともに、傾斜の角度αを変えることで重心を調節できる。
【００１７】
（フック）
フック２０は、全体がＣ字状の棒部材であり、テーブルＴ等の水平面や水平に配置された棒状部材Ｐに掛けられるフック本体２２と、フック本体２２の下部に設けられる軸２１とを備える。
フック２０は、ハンガー本体１０に対して少なくとも水平方向に回転自在に接続されている。
具体的には、ハンガー本体１０の接続部１３の上部に鉛直方向の穴１３ｈが設けられ、その穴１３ｈに、フック２０の下部に設けられた軸２１が挿通されている。
そして、軸２１の下部にある大径のストッパ２３により、穴１３ｈから軸２１が抜け出さないように支持された状態で、ハンガー本体１０がフック２０に軸支されている。
これにより、フック２０をテーブルＴ等に掛けた状態で、ハンガー本体１０を水平方向に回転することができるので、バッグ用ハンガー１からバッグの持ち手Ｍを出し入れしやすくなる。
また、フック２０の先端には滑り止め２４が設けられている。これにより、フック２０の先端をテーブルＴ等の水平な面上に掛けてハンガー本体１０を吊り下げた状態でバッグ用ハンガー１を用いることができ、ハンガー本体１０にバッグを掛けても滑ることがなく安定した状態を保てる。
【００１８】
さらに、バッグ用ハンガー１の重心は、フック２０をテーブルＴ等に掛けてハンガー本体１０を自然に吊り下げた状態（図３に示す状態）で、側面視において、頂面１２の最頂部が水平面に対して傾斜する位置に設定されており、多少揺れても第２傾斜面１２Ｂの最頂部が水平面に対して傾斜するようになっている。
つまり、フック２０を棒状部材Ｐに掛けた状態とテーブルＴの上面に掛けた状態のいずれの状態においても、ハンガー本体１０を自然に吊り下げた状態で、頂面１２の最頂部が水平面に対して傾斜し、さらに多少揺れても第２傾斜面１２Ｂの最頂部が水平面に対して傾斜した状態を保つように、バッグ用ハンガー１の重心が調節されている。
例えば、フック２０を棒状部材Ｐに掛けた状態で、ハンガー本体１０の±１０度の揺れを許容するため、θ２を１５度とし、θ１を１０度とする。
これにより、バッグ用ハンガー１は、バッグを掛けていない状態で、ハンガー本体１０の頂面１２が半円状の他端１２ｑから半円状の一端１２ｐに向けて曲率半径Ｒが徐々に小さくなるように窄まる形状となるので、バッグの持ち手Ｍをハンガー本体１０の手前から奥に向けて斜め下に一直線に移動させることができ、バッグの持ち手Ｍをハンガー本体１０に掛けやすくなる。
そして、バッグの持ち手Ｍがハンガー本体１０に掛けられた状態でハンガー本体１０が多少揺れても、第２傾斜面１２Ｂの最頂部が水平面に対して傾斜した状態を保ち、揺れに勢いがあってもバッグの持ち手Ｍが第２傾斜面１２Ｂに干渉するので、持ち手Ｍが脱落することがない。
【００１９】
以上、本発明の好ましい実施例について詳述したが、本発明に係るバッグ用ハンガーは上述した実施形態に限定されるものではなく、実用新案登録請求の範囲に記載された本発明の要旨の範囲内において、種々の変形、変化が可能である。
【００２０】
本発明によれば、ハンガー本体１０の頂面１２が、半円状の他端１２ｑから半円状の一端１２ｐに向けて曲率半径Ｒが徐々に小さくなるように窄まる形状であるので、バッグの持ち手Ｍを頂面１２の手前の傾斜面上に掛けるだけで、自然に奥の傾斜面である第１傾斜面１２Ａに滑って移動するため、持ち手Ｍをハンガー本体１０の奥に挿入しやすく、また、持ち手Ｍを奥の傾斜面から手前の傾斜面に向けて滑らせても引っ掛かることなく、持ち手Ｍを取り出しやすい。
本発明によれば、ハンガー本体１０の頂面１２が、半円状の他端１２ｑから半円状の一端１２ｐに向けて曲率半径Ｒが徐々に小さくなるように窄まる形状であるのに加え、一端１２ｐに背板１１が設けられるので、バッグの持ち手Ｍが頂面１２と背板１１の間に嵌って留まり、安定して掛けられる。
本発明によれば、頂面１２が第１傾斜面１２Ａから第２傾斜面１２Ｂにかけて凹状に屈曲しているので、バッグの持ち手Ｍを挿入しやすく、バッグを吊り下ろした状態で持ち手Ｍが滑り落ち難く、持ち手Ｍがハンガー本体１０に引っ掛からずに取り出せる。
本発明によれば、ハンガー本体１０の手前に掛けたバッグの持ち手Ｍが奥に移動し、手前の頂面１２にスペースができるので、複数のバッグを掛けても、持ち手Ｍが重なりにくく、取り出しやすい。
【符号の説明】
【００２１】
１      バッグ用ハンガー
１０    ハンガー本体
１１    背板
１２    頂面
１２Ａ  第１傾斜面
１２Ｂ  第２傾斜面
１２ｐ  一端
１２ｑ  他端
１３    接続部
１３ｈ  穴
２０    フック
２１    軸
２２    フック本体
２３    ストッパ
ａｈ    中心軸
ａｖ    鉛直軸
Ｐ      棒状部材
Ｒ      曲率半径
Ｔ      テーブル
α      角度
θ１    角度
θ２    角度
【図１】
2019166409.tif 000003
【図２】
2019166409.tif 000004
【図３】
2019166409.tif 000005
【図４】
2019166409.tif 000006